(57)【要約】【課題】レバーの装着をスペース効率良く行うことが可能なレバー式コネクタを提供する。【解決手段】レバー式コネクタは、軸部を有するハウジングと、軸部を中心とした回動により前記ハウジングと相手ハウジングとの嵌合を進めるレバーと、を備える。レバーは、ハウジングの側面に重なるアーム板を有している。アーム板は、回動中心に位置する軸受と、軸受からアーム板の外周縁にかけて通じる溝部と、を有している。軸部は、軸受に嵌まる。溝部は、アーム板がハウジングの側面に沿ってスライドする方向に延び、軸部を軸受まで挿通可能である。【選択図】図３
2020161346.tif 000002
【特許請求の範囲】
【請求項１】
軸部を有するハウジングと、
前記軸部を中心とした回動により前記ハウジングと相手ハウジングとの嵌合を進めるレバーと、を備え、
前記レバーは、前記ハウジングの側面に重なるアーム板を有し、
前記アーム板は、回動中心に位置する軸受と、前記軸受から前記アーム板の外周縁にかけて通じる溝部と、を有し、
前記軸部は、前記軸受に嵌まり、前記溝部は、前記アーム板が前記ハウジングの側面に沿ってスライドする方向に延び、前記軸部を前記軸受まで挿通可能であるレバー式コネクタ。
【請求項２】
前記ハウジングは、前記側面と対向する覆い壁を有し、
前記軸部は、前記覆い壁と前記側面との間の空間部に突出して配置され、
前記空間部の隙間寸法は、前記軸部の突出寸法と、前記アーム板における前記軸受を有する部分の厚み寸法と、を加算した値よりも小さい請求項１に記載のレバー式コネクタ。
【請求項３】
前記溝部の溝面は、前記相手ハウジングの突部に接触して前記レバーの回動により前記相手ハウジングを前記ハウジング側に引き込む嵌合面である請求項１または請求項２に記載のレバー式コネクタ。
【請求項４】
前記溝部における前記アーム板の外周縁に通じる部分の溝幅は、前記軸部の直径より大きく、前記溝部における前記軸受に通じる部分の溝幅は、前記軸部の直径より小さくされ、前記アーム板における前記溝部、前記軸受および前記外周縁を区画する部分は、前記溝幅を広げる方向に撓み変形可能な弾性部である請求項１から請求項３のいずれか１項に記載のレバー式コネクタ。
【発明の詳細な説明】
【技術分野】
【０００１】
本開示は、レバー式コネクタに関する。
【背景技術】
【０００２】
特許文献１に記載されたレバー式コネクタは、コネクタハウジングと、コネクタハウジングに組み込まれるレバーと、を備えている。レバーは、コネクタハウジングに対して初期位置から嵌合達成位置まで回動される。コネクタハウジングと相手コネクタとは、レバーの回動に起因するてこの作用によって小さい力で嵌合させられる。コネクタハウジングは、上壁部と下壁部との間に、左右一対のサブハウジング挿入スペースを有している。コネクタハウジングは、上壁部の上面と下壁部の下面とに、レバーの回動支点となるボス部を有している。ボス部は、上壁部および下壁部に、サブハウジング挿入スペース側に撓み変形可能な可撓壁を有している。レバーは、断面門型をなし、上板、下板および連結部を有している。上板および下板は、ボス部が嵌まるボス受部を有している。ボス受部は、上板および下壁を円形に貫通した嵌合孔である。レバーは、ボス受部をボス部に嵌合させることで、コネクタハウジングに装着される。ボス受部をボス部に嵌合させる際、可撓壁が撓み変形させられる。サブハウジング挿入スペースにサブハウジングが挿入されると、可撓壁の撓みが規制される。
【先行技術文献】
【特許文献】
【０００３】
【特許文献１】特開２０１３−８９３８５号公報
【発明の概要】
【発明が解決しようとする課題】
【０００４】
特許文献１のレバー式コネクタの場合、可撓壁をコネクタハウジングの上壁部および下壁部に設けることが可能な構造であることが必要とされ、さらに、可撓壁の撓みをサブハウジングで規制することが可能な構造であることが必要とされる。このため、上記技術を適用する範囲が制限され、汎用性に欠けるという事情がある。
【０００５】
これに対し、例えば、レバーの上板および下板をボス部に乗り上げさせ、レバーが外側に開くように撓み変形した状態からボス受部にボス部を嵌合させる構造を採用することも可能である。しかし、この場合、レバーの外側にレバーの撓みを許容するスペースが必要となり、レバー式コネクタの大型化やスペース効率の低下を招くおそれがある。
【０００６】
そこで、レバーの装着をスペース効率良く行うことが可能なレバー式コネクタを提供することを目的とする。
【課題を解決するための手段】
【０００７】
本開示のレバー式コネクタは、軸部を有するハウジングと、前記軸部を中心とした回動により前記ハウジングと相手ハウジングとの嵌合を進めるレバーと、を備え、前記レバーは、前記ハウジングの側面に重なるアーム板を有し、前記アーム板は、回動中心に位置する軸受と、前記軸受から前記アーム板の外周縁にかけて通じる溝部と、を有し、前記軸部は、前記軸受に嵌まり、前記溝部は、前記アーム板が前記ハウジングの側面に沿ってスライドする方向に延び、前記軸部を前記軸受まで挿通可能である。
【発明の効果】
【０００８】
本開示によれば、レバーの装着をスペース効率良く行うことが可能なレバー式コネクタを提供することが可能となる。
【図面の簡単な説明】
【０００９】
【図１】図１は、実施形態にかかるレバー式コネクタにおいて、レバーをハウジングに装着する過程の状態を示す一部破断した平面図である。
【図２】図２は、レバーが仮係止位置に保持され、ハウジングが相手ハウジングと浅く嵌合した状態を示す一部破断した平面図である。
【図３】図３は、レバーが仮係止位置から本係止位置に向けて回動され、相手ハウジングがハウジング側に引き込まれる状態を示す一部破断した平面図である。
【図４】図４は、レバーが本係止位置に至り、ハウジングが相手ハウジングと正規に嵌合した状態を示す一部破断した平面図である。
【図５】図５は、雌ハウジングの正面図である。
【図６】図６は、雌ハウジングの平面図である。
【図７】図７は、レバーの側面図である。
【発明を実施するための形態】
【００１０】
［本開示の実施形態の説明］
最初に本開示の実施態様を列記して説明する。  
本開示のレバー式コネクタは、
（１）軸部を有するハウジングと、前記軸部を中心とした回動により前記ハウジングと相手ハウジングとの嵌合を進めるレバーと、を備え、前記レバーは、前記ハウジングの側面に重なるアーム板を有し、前記アーム板は、回動中心に位置する軸受と、前記軸受から前記アーム板の外周縁にかけて通じる溝部と、を有し、前記軸部は、前記軸受に嵌まり、前記溝部は、前記アーム板が前記ハウジングの側面に沿ってスライドする方向に延び、前記軸部を前記軸受まで挿通可能である。アーム板がハウジングの側面に沿ってスライドすると、軸部が溝部を通して軸受に嵌まる。したがって、レバーをハウジングに装着する際、アーム板がハウジングの側面と垂直な方向（高さ方向）に撓み変形しないようにすることができる。その結果、本開示のレバー式コネクタは、高さ方向にスペース上の制約がある場合にも適用することができる。また、レバー式コネクタが無用に大型化するのを回避することができる。
（２）前記ハウジングは、前記側面と対向する覆い壁を有し、前記軸部は、前記覆い壁と前記側面との間の空間部に突出して配置され、前記空間部の隙間寸法は、前記軸部の突出寸法と、前記アーム板における前記軸受を有する部分の厚み寸法と、を加算した値よりも小さいことが好ましい。仮に、アーム板がハウジングの側面と垂直な方向（高さ方向、厚み方向）に撓み変形する構成であると、空間部の隙間寸法は、軸部の突出寸法とアーム板における軸受を有する部分の厚み寸法とを加算した値よりも大きくなる。このため、レバー式コネクタが高さ方向に大型化してしまう。その点、上記構成によれば、アーム板が高さ方向に撓み変形するのを防止することができるため、空間部の隙間寸法は軸部の突出寸法とアーム板における軸受を有する部分の厚み寸法とを加算した値よりも小さくすることができ、レバー式コネクタの小型化に寄与することができる。
（３）前記溝部の溝面は、前記相手ハウジングの突部に接触して前記レバーの回動により前記相手ハウジングを前記ハウジング側に引き込む嵌合面であると良い。これによれば、溝部が、軸部を軸受に通す機能に加え、両ハウジングの嵌合を行う機能を兼ね備えることができる。その結果、レバーに、溝部とは別に、両ハウジングの嵌合を行うための構造が設けられる場合に比べ、レバーの構造を簡単にすることができる。
（４）前記溝部における前記アーム板の外周縁に通じる部分の溝幅は、前記軸部の直径より大きく、前記溝部における前記軸受に通じる部分の溝幅は、前記軸部の直径より小さくされ、前記アーム板における前記溝部、前記軸受および前記外周縁を区画する部分は、前記溝幅を広げる方向に撓み変形可能な弾性部であると良い。軸部が溝部に挿通される初期の段階では、軸部が溝部における溝幅の大きい部分に進入するため、軸部の溝面と干渉するのを回避することができる。軸部が溝部に挿入される終盤の段階では、軸部が溝部における溝幅の小さい部分に進入するものの、弾性部が撓み変形することにより、溝部の溝幅が押し拡げられ、軸部が軸孔に嵌まることができる。したがって、上記構成によれば、ハウジングに対するレバーの装着作業を円滑に行うことができる。
【００１１】
［本開示の実施形態の詳細］
本開示のレバー式コネクタの具体例を、以下に図面を参照しつつ説明する。なお、本発明はこれらの例示に限定されるものではなく、特許請求の範囲によって示され、特許請求の範囲と均等の意味および範囲内でのすべての変更が含まれることが意図される。
【００１２】
本実施形態に係るレバー式コネクタは、図２に示すように、ハウジング１０と、ハウジング１０に回動可能に装着されるレバー１１と、を備えている。ハウジング１０およびレバー１１はいずれも合成樹脂製である。ハウジング１０は、相手ハウジング１２に嵌合可能とされている。相手ハウジング１２も合成樹脂製である。なお、以下の説明において、前後方向については、両ハウジング１０、１２が嵌合開始時に互いに向き合う面側を前側とする。レバー１１は、図３に示す状態において、ハウジング１０の方向基準と同じである。
【００１３】
＜相手ハウジング１２＞
相手ハウジング１２は、図示しない雄端子金具を装着可能な雄ハウジングである。相手ハウジング１２は、図２および図３に示すように、基壁部１３と、基壁部１３から前方に突出するフード部１４を有している。フード部１４は、左右方向に長い正面視矩形の筒状をなしている。フード部１４は、基壁部１３から前方に延びる延出部１５を有し、延出部１５の先端部に、側方に突出する突部１６を有している。延出部１５および突部１６は、フード部１４の上壁部分及び下壁部分の外面側に沿って、左右で対をなして配置されている。延出部１５の後部の幅寸法は、前部の幅寸法より大きくされている。左右の突部１６は、内側（フード部１４の左右中央側）に互いに対向して配置されている。
【００１４】
突部１６は、先端へ向けて次第に近づくようにテーパ状に傾斜する前面および後面を有している。突部１６は、前面および後面を介して、先端面へ向けて前方幅を次第に小さくしている。突部１６の前面は、レバー１１の後述する嵌合面３８と接触可能な被嵌合面３９として構成される。フード部１４の上壁部分の上面および下壁部分の下面のそれぞれにおいて、左右の突部１６は、左右中央を通る軸線に対し、互いに線対称に配置されている。左右の延出部１５も、左右中央を通る軸線に対し、互いに線対称に配置されている。
【００１５】
＜ハウジング１０＞
ハウジング１０は、左右方向に長い正面視矩形の枠状のハウジング本体１７と、ハウジング本体１７に取り付けられるキャップ状の電線カバー１８と、を有している。
【００１６】
図５に示すように、ハウジング本体１７は、内部に、前後方向に貫通する複数のサブハウジング収容部１９を有している。また、各サブハウジング収容部１９に収容される図示しないサブハウジングには、雄端子金具に接続可能な図示しない雌端子金具が複数収容される。各雌端子金具は、電線２０（図２および図４を参照）の端部に接続されている。
【００１７】
図５に示すように、ハウジング本体１７は、サブハウジング収容部１９の上方に配置される上壁部分とサブハウジング収容部１９の下方に配置される下壁部分とを有している。ハウジング本体１７の上壁部分および下壁部分は、支持壁２１として構成される。ハウジング本体１７は、支持壁２１を外側から覆う覆い壁２２と、支持壁２１および覆い壁２２を連結する左右の連結壁２３と、を有している。ハウジング本体１７は、支持壁２１と覆い壁２２との間で、かつ左右の連結壁２３の内側に、レバー１１を収容する空間部２４を有している。空間部２４は、ハウジング本体１７の上下端部の左右中央部において、前後方向に貫通している。ハウジング本体１７は、上下端部の前面に、空間部２４に通じる進入口２５を有している。上述した各延出部１５および各突部１６は、両ハウジング１０、１２の嵌合時、進入口２５を通して空間部２４に進入する。
【００１８】
ハウジング本体１７は、支持壁２１の外面（ハウジング１０の側面と同じ）に、空間部２４に円柱状に突出する軸部２６を有している。軸部２６は、図６に示すように、径方向外側に張り出す突片部２７を有している。突片部２７は、矩形片状をなし、軸部２６の後方に突出している。
【００１９】
軸部２６は、ハウジング本体１７の左右中央部において進入口２５の後方に配置されている。図５に示すように、軸部２６の突出寸法は、空間部２４の隙間寸法（上下寸法、開口幅であり、図５のＡ寸法）より小さくされている。空間部２４の隙間寸法は、少なくとも、軸部２６の突出寸法とレバー１１の後述するアーム先端部２８の厚み寸法とを加算した値より小さくされている。このため、ハウジング本体１７の上下寸法は小さく抑えられる。
【００２０】
電線カバー１８は、ハウジング本体１７の後面を覆うとともに、左右方向の一側（図１〜図４の右側）に開口する形態になっている。図示しない各サブハウジングから引き出された各電線２０は、電線カバー１８内で屈曲され、電線カバー１８の一側から外部へ導出される（図２および図４を参照）。電線カバー１８は、一側の後端部に、レバー１１の回動を止めるロック部２９を有している。ロック部２９は、電線カバー１８の背板部分に台状に突出している。電線カバー１８は、背板部分における一側の端部に、位置決め溝３０を有している。図２に示すように、位置決め溝３０は、各電線２０を束ねるタイバンドやテープなどの固定部材３１を位置決めして装着する機能を有している。
【００２１】
＜レバー１１＞
レバー１１は、図７に示すように、側面視門型の板状をなし、上下方向に延びる操作部３２と、操作部３２の上下端から互いに対向して突出する一対のアーム板３３と、を有している。  
操作部３２は、図１に示すように、平面視において後方へ山型に突出している。操作部３２は、左右面に、凹凸の滑り止め構造を有している。作業者は、操作部３２を指で摘んだ状態で、レバー１１の回動操作を行うことが可能となっている。
【００２２】
両アーム板３３は、操作部３２側から前方へ向けて長く延びる帯板状をなし、操作部３２から離れた端部である前端部に、アーム先端部２８を有している。図７に示すように、アーム先端部２８は、アーム板３３の外面に形成された段差部３４を介して、アーム板３３の操作部３２側の部分から一段落ちて配置されている。段差部３４は、レバー１１の回動方向に湾曲する部分を有し、覆い壁２２の湾曲部分に沿って配置される（図１および図６を参照）。
【００２３】
両アーム板３３のアーム先端部２８は、内側に突出する部分を有し（図７を参照）、この突出部分に、図１に示すように、軸受３５、溝部３６および凹所３７を有している。軸受３５、溝部３６および凹所３７は、いずれもアーム先端部２８を厚み方向に貫通している。軸受３５は、アーム先端部２８の外面に円形に開口している。凹所３７は、軸受３５に通じ、アーム先端部２８の外面に矩形に開口している。図２〜図４に示すように、軸部２６は、軸受３５に適合して嵌まる。突片部２７は、凹所３７と対応する形態になっている。
【００２４】
溝部３６は、図１に示すように、軸受３５からアーム先端部２８の外周縁にかけて通じる形態になっている。溝部３６の入口（始端）は、アーム先端部２８の外周縁に開口し、軸部２６の直径より大きい溝幅（開口径）を有している。溝部３６の出口（奥端）は、軸受３５に通じ、軸部２６の直径より小さい溝幅を有している。溝部３６の両溝縁のうち、後側の溝縁は、軸受３５からアーム先端部２８の外周縁にかけて軸受３５の径方向と同方向に直線状に延びている。前側の溝縁は、被嵌合面３９と対応した嵌合面３８として構成される。嵌合面３８は、軸受３５からアーム先端部２８の外周縁にかけて後側へ凸状に湾曲するように曲線状に延びている。そして、嵌合面３８は、軸受３５からアーム先端部２８の外周縁に向かう従い後側の溝縁から大きく離れるように湾曲している。
【００２５】
両アーム板３３は、軸受３５の前方に、アーム先端部２８の外周縁、溝部３６の嵌合面３８および軸受３５で区画される弾性部４０を有している。弾性部４０は、軸受３５と同心の円弧帯状をなし、軸受３５側を支点として溝部３６の溝幅を広げる向きに撓み変形可能とされている。
【００２６】
＜レバー１１の装着および両ハウジング１０、１２の嵌合＞
レバー１１はハウジング１０に対し電線カバー１８の後方から装着される。レバー１１の装着過程において、アーム先端部２８が支持壁２１の外面および覆い壁２２の内面に沿ってスライドしながら空間部２４に挿入される。軸部２６がレバー１１の溝部３６の入口に進入した状態で、アーム先端部２８の挿入が進むと、溝部３６の溝面が軸部２６の外周面に接触する（図１を参照）。さらにアーム先端部２８の挿入が進むと、弾性部４０が軸部２６に押圧されてアーム板３３の板面方向に沿って撓み変形し、軸部２６が溝部３６の出口を通過する。その後、弾性部４０が弾性復帰し、軸部２６が軸受３５に嵌まって抜け止めされる。レバー１１の装着過程において、アーム板３３は、厚み方向に撓み変形する設定ではなく、支持壁２１の外面および覆い壁２２の内面に沿って配置される状態が良好に維持される。
【００２７】
続いて、レバー１１は、反時計回りに回動され、図２に示すように、操作部３２が図示左側に位置する仮係止位置に留め置かれる。仮係止位置では、アーム板３３の前端縁が連結壁２３の傾斜部分に沿って当たることで、レバー１１の反時計周りの回動が規制される。レバー１１が仮係止位置にあるときに、溝部３６の嵌合面３８の前端側（溝部３６の入口側）は前方に向けて開くように配置される。
【００２８】
ハウジング１０が相手ハウジング１２と浅く嵌合し、ハウジング本体１７内にフードの先端部が挿入されると、突部１６が進入口２５を通過して溝部３６の入り口に進入する（図２を参照）。このときは、溝部３６の嵌合面３８は突部１６から一側（図示右側）に離れて位置している。
【００２９】
続いて、レバー１１が軸部２６を回動中心として時計周りに回動される。すると、溝部３６の嵌合面３８が突部１６の被嵌合面３９に当たる（図３を参照）。さらに、レバー１１の回動が進むと、突部１６がアーム先端部２８により押圧されて空間部２４に深く進入し、相手ハウジング１２がハウジング１０側に引き込まれる。ここで、レバー１１は、軸受３５から操作部３２までの距離が軸受３５から突部１６までの距離よりも十分に長くなるように設定されている。このため、レバー１１がてこの機能を発揮し、相手ハウジング１２が小さい操作力でハウジング１０側に引き込まれる。
【００３０】
その後、操作部３２が電線カバー１８の背板部分に突き当たり、レバー１１の時計周りの回動が規制される（図４を参照）。また、操作部３２がロック部２９に弾性的に係止され、レバー１１の反時計周りの回動も規制される。これにより、レバー１１がハウジング１０に対し本係止位置に回動規制状態に留め置かれる。レバー１１が本係止位置にあるとき、両ハウジング１０、１２は互いに正規に嵌合した状態になり、図示しない雌雄の端子金具が電気的に接続される。
【００３１】
レバー１１が仮係止位置から本係止位置に至るまでの間、図３および図４に示すように、溝部３６の嵌合面３８は、突部１６の先端側から基端側（付け根側）へと突部１６に対する接触領域を次第に変化させて行く。すなわち、レバー１１が本係止位置に向かうに従い、突部１６が溝部３６に深く進入して当たるようになっており、相手ハウジング１２の引き込み時に、突部１６と溝部３６との引っ掛かりが外れる心配は少ない。
なお、レバー１１の向き（回動方向）を上記とは逆にしてレバー１１をハウジング１１に装着することも可能である。その場合は、図２および図３の右側の突部１６が溝部３６に進入し、両ハウジング１０、１２の嵌合が進められることになる。
【００３２】
以上のとおり、本実施形態によれば、レバー１１のアーム板３３が支持壁２１の外面に沿ってスライドすると、軸部２６が溝部３６を通して軸受３５に嵌まる。この間、弾性部４０が支持壁２１の外面と平行な方向（左右方向、アーム板３３の面方向）に撓み変形するものの、アーム板３３が支持壁２１の外面と垂直な方向（上下方向、アーム板３３の厚み方向）に撓み変形する設定ではない。このため、本実施形態の場合、支持壁２１の外面と垂直な方向、つまりハウジング１０の上下方向にスペースをとることがなく、スペース効率に優れる。
【００３３】
特に、支持壁２１と覆い壁２２との間に空間部２４が設けられ、空間部２４に軸部２６が突出して配置され、空間部２４の隙間寸法（図５のＡ寸法）が軸部２６の突出寸法とアーム先端部２８の厚み寸法とを加算した値を超えることがないため、ハウジング１０の小型化に寄与することができる。
さらに、溝部３６は、軸部２６を軸受３５に通す機能に加え、両ハウジング１０、１２の嵌合を行う機能を兼ね備える。このため、レバー１１に、溝部３６とは別に、両ハウジング１０、１２の嵌合を行うための構造、例えば、カム溝などを設ける場合に比べ、構造を簡単にすることができる。
【００３４】
［他の実施形態］
今回開示された実施の形態はすべての点で例示であって制限的なものではないと考えられるべきである。  
例えば、上記実施形態は、レバー１１が操作部３２と一対のアーム板３３とを有することで門型に形成されていたが、他の実施形態としては、両アーム板３３の一方が省略され、レバー１１が全体として一枚板状に形成されるものであってもよい。  
上記実施形態は、ハウジング１０が雌端子金具を収容可能な雌ハウジングとして構成され、相手ハウジング１２が雄端子金具を収容可能な雄ハウジングとして構成されていたが、他の実施形態としては、ハウジング１０が雄端子金具を収容可能な雄ハウジングとして構成され、相手ハウジング１２が雌端子金具を収容可能な雌ハウジングとして構成されるものであってもよい。  
上記実施形態は、支持壁２１の外側に覆い壁２２が設けられていたが、他の実施形態としては、支持壁２１の外面に覆い壁２２が設けられず、支持壁２１の外面が外部に露出して配置されていてもよい。  
上記実施形態は、溝部３６が両ハウジング１０、１２の嵌合を進める機能を有していたが、他の実施形態としては、溝部３６が両ハウジング１０、１２の嵌合を進める機能を有さず、軸部２６を通過させる機能のみを有するものであってもよい。  
上記実施形態は、軸部２６の先端が自由端として形成されていたが、他の実施形態としては、軸部２６の両端が支持壁２１および覆い壁２２に一体に連なる形態になっていてもよい。
上記実施形態は、軸部２６が支持壁２１に突設されていたが、他の実施形態としては、軸部２６が覆い壁２２に突設されていてもよい。軸部１６の根元には相当な応力が加わるため、軸部２６は肉厚を確保できる側（上記実施形態の場合は支持壁２１）に突設されていると良い。
【符号の説明】
【００３５】
１０…ハウジング
１１…レバー
１２…相手ハウジング
１３…基壁部
１４…フード部
１５…延出部
１６…突部
１７…ハウジング本体
１８…電線カバー
１９…サブハウジング収容部
２０…電線
２１…支持壁
２２…覆い壁
２３…連結壁
２４…空間部
２５…進入口
２６…軸部
２７…突片部
２８…アーム先端部
２９…ロック部
３０…位置決め溝
３１…固定部材
３２…操作部
３３…アーム板
３４…段差部
３５…軸受
３６…溝部
３７…凹所
３８…嵌合面
３９…被嵌合面
４０…弾性部
【図１】
2020161346.tif 000003
【図２】
2020161346.tif 000004
【図３】
2020161346.tif 000005
【図４】
2020161346.tif 000006
【図５】
2020161346.tif 000007
【図６】
2020161346.tif 000008
【図７】
2020161346.tif 000009